(57)【特許請求の範囲】
【請求項１】
カニューレ部品、メスハンドル、ベースおよびクランプ駆動部品を含み、
前記カニューレ部品は、遠位端に配置されるクランプと、外側カニューレおよび内側カニューレを含み、
前記外側カニューレ、前記内側カニューレはすべて前記メスハンドルと同軸に配置され、
前記クランプの近位端に２つの回転軸が配置され、
前記２つの回転軸内の１つの回転軸が前記外側カニューレに回転可能に接続され、
もう１つの回転軸が前記内側カニューレに回転可能に接続され、
前記カニューレ部品は、前記メスハンドルの軸線の遠位端方向に向かって前記ベースおよび前記クランプ駆動部品から取り外され、または前記メスハンドルの軸線の近位端方向に向かって前記ベースおよび前記クランプ駆動部品上に取り付けられ、
前記外側カニューレは１つまたは複数の第１取り外し可能な構造を介して前記ベースに接続され、
前記第１取り外し可能な構造は、第１係合溝、ボタン、弾性部材およびバックルホルダとで構成され、
前記第１係合溝は、第１摺動溝と第１係止溝とが互いに接続されて構成され、
前記第１係止溝の最大溝幅は、前記第１摺動溝の最大溝幅よりも大きく、
前記ボタンは、ボタン軸線を有し、且つ、前記ボタン軸線方向に沿って分布され互いに接続される取付段、係止段および取り外し段をこの順で含み、
前記弾性部材は、前記ボタン軸線方向上に配置され、
前記ボタンの取付段及び前記弾性部材は、前記バックルホルダ内に取り付けられ、
前記ボタンは、前記ボタン軸線方向に沿って最高位置と最低位置との間を移動でき、且つ、外部に露出する前記第１係合溝に係合され、
前記内側カニューレは１つまたは複数の第２取り外し可能な構造を介して前記クランプ駆動部品に接続され、
前記第２取り外し可能な構造は、第２係合溝およびクリップ構造で構成され、
前記第２係合溝は、第２摺動溝と第２係止溝とが互いに接続されて構成され、
前記クリップ構造は、前記メスハンドルの軸線に垂直な方向上に内側方向へのフック状の突起が設けられ、
前記突起は、前記第２係合溝に係合される再使用可能な超音波手術器具。
【請求項２】
自然状態下で前記ボタンが前記最高位置に位置するように前記ボタンの取付段が前記バックルホルダおよび前記弾性部材に接続され、且つ、外力の作用下で前記弾性部材の弾性力を打ち勝って前記最低位置に移動でき、
前記ボタンが前記最高位置に位置するとき、前記ボタンの係止段が前記第１係止溝に嵌め込まれ、前記第１係止溝によって前記ボタン軸線に垂直な方向への移動が制限され、
前記ボタンが前記最低位置に位置するとき、前記ボタンの取り外し段が前記第１係合溝内に摺動自在である請求項１に記載の再使用可能な超音波手術器具。
【請求項３】
前記ボタンと前記バックルホルダとが、バックルおよびボタンホールの構造によって接続され、その中で、前記バックルが前記ボタン軸線方向に沿って前記ボタンホール内に移動できるように、前記ボタンホールの高さが前記バックルの高さよりも大きくなり、前記ボタンが前記最高位置と前記最低位置との間を移動できる請求項１又は２に記載の再使用可能な超音波手術器具。
【請求項４】
前記バックルが前記バックルホルダ上に配置され、前記ボタンホールが前記ボタン上に配置される請求項３に記載の再使用可能な超音波手術器具。
【請求項５】
前記バックルが前記ボタン上に配置され、前記ボタンホールが前記バックルホルダ上に配置される請求項３に記載の再使用可能な超音波手術器具。
【請求項６】
前記第１係合溝が前記外側カニューレ上に配置され、
前記ボタン、前記弾性部材および前記バックルホルダが前記ベース上に配置される請求項１〜４のいずれか１項に記載の再使用可能な超音波手術器具
【請求項７】
前記第１係合溝が前記ベース上に配置され、
前記ボタン、前記弾性部材および前記バックルホルダが前記外側カニューレ上に配置される請求項１〜３，５のいずれか１項に記載の再使用可能な超音波手術器具。
【請求項８】
前記バックルホルダは、前記ベース上の一定の高さを有する穴であり、
前記ボタンの取付段は、前記弾性部材を介して前記バックルホルダ内に取り付けられ、前記穴に沿って前記最高位置と前記最低位置との間を移動できる請求項１〜４，６のいずれか１項に記載の再使用可能な超音波手術器具。
【請求項９】
前記バックルホルダは、前記外側カニューレ上の一定の高さを有する穴であり、
前記ボタンの取付段は、前記弾性部材を介して前記バックルホルダ内に取り付けられ、前記穴に沿って前記最高位置と前記最低位置との間を移動できる請求項１〜３，５，7のいずれか１項に記載の再使用可能な超音波手術器具。
【請求項１０】
前記弾性部材の一端が前記ボタンの取付段の底部に押されて、他端が前記バックルホルダの底部を閉鎖する円筒形部品上に押される請求項１〜９のいずれか１項に記載の再使用可能な超音波手術器具。
【請求項１１】
前記取付段における前記ボタン軸線に垂直な方向の断面の最大幅は、前記係止段における前記ボタン軸線に垂直な方向の断面の最大幅よりも大きく、前記係止段における前記ボタン軸線に垂直な方向の断面の最大幅は、前記取り外し段における前記ボタン軸線に垂直な方向の断面の最大幅よりも大きく、前記取り外し段における前記ボタン軸線に垂直な方向の断面の最大幅は、前記第１係合溝の最小幅よりも小さい請求項１〜１０のいずれか１項に記載の再使用可能な超音波手術器具。
【請求項１２】
前記ベースは、前記内側カニューレの近位端および前記クランプ駆動部品の遠位端を挿入可能な空洞を有し、
前記クランプ駆動部品の遠位端及び前記内側カニューレの近位端の一方は、前記クランプ駆動部品の遠位端及び前記内側カニューレの近位端の他方を挿入可能であり、
前記第２係合溝は、前記クランプ駆動部品の遠位端及び前記内側カニューレの近位端の一方に配置され、
前記突起は、前記クランプ駆動部品の遠位端及び前記内側カニューレの近位端の他方から、径方向外側に突出することなく、前記メスハンドルの軸線方向に突出して配置される請求項１〜１１のいずれか１項に記載の再使用可能な超音波手術器具。
【請求項１３】
前記弾性部材は、円筒状ばねまたは波状ばねである請求項１〜１２のいずれか１項に記載の再使用可能な超音波手術器具。
【請求項１４】
前記第１摺動溝の一部が前記メスハンドルの軸線に平行し、他の部分が前記メスハンドルの軸線に垂直である請求項１〜１３のいずれか１項に記載の再使用可能な超音波手術器具。
【請求項１５】
前記突起は、前記第２摺動溝内に摺動自在であり前記第２摺動溝から前記第２係止溝内に摺動でき、そして前記第２係止溝によって前記メスハンドルの軸線方向に沿う移動が制限される請求項１〜１４のいずれか１項に記載の再使用可能な超音波手術器具。
【請求項１６】
前記第２係合溝は、前記内側カニューレ上に配置され、
前記クリップ構造は、前記クランプ駆動部品上に位置する請求項１〜１５のいずれか１項に記載の再使用可能な超音波手術器具。
【請求項１７】
前記第２係合溝は、前記クランプ駆動部品上に配置され、
前記クリップ構造は、前記内側カニューレ上に配置される請求項１〜１５のいずれか１項に記載の再使用可能な超音波手術器具。
【請求項１８】
前記第２摺動溝は、前記メスハンドルの軸線に平行である請求項１〜１７のいずれか１項に記載の再使用可能な超音波手術器具。
【請求項１９】
前記第２係止溝は、前記メスハンドルの軸線に垂直である請求項１〜１８のいずれか１項に記載の再使用可能な超音波手術器具。
【発明の詳細な説明】
【技術分野】
【０００１】
本願は、外科用手術器具に関し、具体的には再使用可能な超音波手術器具に関する。
【背景技術】
【０００２】
低侵襲手術の普及により、超音波メスはよく使われる通常の手術器具になっている。超音波メスは、超音波周波数発生器によりメスヘッドを一定の超音波周波数で機械的に振動させ、組織内の水分子を蒸発させ、タンパク質水素結合を破壊し、細胞を分解して、組織を切断または固化し、血管を閉鎖する。超音波メスにより、組織切断と凝固を同時に行うことができ、横方向の熱損傷が少なくなる。
【０００３】
超音波メスシステムは、主に超音波周波数発生器、トランスデューサー、手術器具で構成される。その中に、超音波周波数発生器は振動電気信号を送信し、トランスデューサーは振動電気信号を機械的振動に変換し、手術器具はトランスデューサーの機械的振動を使用して組織を切断および凝固させる。手術器具は通常、メスハンドル、メスヘッド（メスハンドル頭部の切断箇所）とともにクランプ構造を形成するクランプ、メスハンドル外部を囲むカニューレ、グリップ、および把持機構で構成される。メスハンドルはトランスデューサーの機械的振動をメスヘッドに伝達し、メスヘッドはクランプと連携して組織をクランプし、切断および凝固機能を実現し、カニューレはメスハンドルを外部から隔離してメスハンドルを保護および支持する作用を果たす一方、クランプとともにリンク機構を形成してクランプを開閉を駆動し、グリップおよび把持機構は医師の手で把持され、クランプを開閉し、且つ超音波周波数発生器の振動電気信号の出力のＯＮ・ＯＦＦを制御するためのスイッチが設けられる。
【０００４】
現在、市場で主流の超音波メスシステムとして、例えば特許文献１、特許文献２のように、その手術器具のカニューレは外側カニューレと内側カニューレで構成され、メスハンドルは内側カニューレ内に位置する。内外側カニューレ間に、内側カニューレとメスハンドル間の隙間が相対的に小さいが、手術が完了しても、いくつかの血液または間質液が内外側カニューレ間または内側カニューレとメスハンドル間の隙間に入り、隙間が非常に小さく狭いため、隙間に入った血液または間質液をきれいに洗浄できない。したがって、手術器具の構造と性能がまだ良好であっても、再使用することはできず、使い捨て器具としてのみ使用できるため、その使用コストは非常に高くなる。
【０００５】
手術器具を複数回再使用して使用コストを削減するめに、特許文献２及び特許文献４で対応する技術手段が提案されている。特許文献３では、カニューレ、メスハンドル、クランプは交換可能な部品構造として設計されており、１回だけ使用でき、他の部品は複数回重複使用できる提案がある。このような設計により、使用コストをある程度削減できるが、カニューレ、メスハンドル、クランプなどの部品のコストが手術器具のコストの大部分を占めるため、コスト削減効果は非常に限られている。また、特許文献４では、カニューレとクランプは交換可能な部品に設計され、１回だけ使用でき、メスハンドルを含むその他の部品は複数回重複使用でき、効果的に使用コストを削減することができる。しかしながら、この技術手段には多くの部品が含まれ、複雑な溶接、ねじ接続プロセスも多く、実現し難い。
【先行技術文献】
【特許文献】
【０００６】
【特許文献１】中国特許公報１０１０３５４８２号
【特許文献２】中国公開特許公報１０６０２８９７９号
【特許文献３】中国実用新案登録公報２０２９０８７９３号
【特許文献４】中国実用新案登録公報２０３９８８２４６号
【発明の概要】
【発明が解決しようとする課題】
【０００７】
上記の技術的問題を解決するために、本願は、再使用可能な超音波手術器具を提供し、従来技術に比較すると、構造が簡単で、プロセスが容易に実現され、操作が便利で、コストが低い利点を有する。
【課題を解決するための手段】
【０００８】
本願の第１態様によれば、カニューレ部品、メスハンドル、ベースおよびクランプ駆動部品を含む再使用可能な超音波手術器具を提供し、前記カニューレ部品は遠位端に配置されるクランプ、外側カニューレと内側カニューレを含み、前記外側カニューレ、前記内側カニューレはすべて前記メスハンドルと同軸に配置され、前記クランプの近位端に２つの回転軸が配置され、前記２つの回転軸内の１つの回転軸が前記外側カニューレに回転可能に接続され、もう１つの回転軸が前記内側カニューレに回転可能に接続され、前記カニューレ部品は前記メスハンドルの軸線の遠位端方向に向かって前記ベースおよび前記クランプ駆動部品から取り外され、または前記メスハンドルの軸線の近位端方向に向かって前記ベースおよび前記クランプ駆動部品上に取り付けられ、前記外側カニューレは１つまたは複数の第１取り外し可能な構造を介して前記ベースに接続され、前記内側カニューレは１つまたは複数の第２取り外し可能な構造を介して前記クランプ駆動部品に接続される。
【０００９】
一実施形態では、前記第１取り外し可能な構造は前記ベース上の貫通穴、前記外側カニューレ上のねじ穴およびボルトで構成され、前記ボルトは前記ベース上の貫通穴を貫通して前記外側カニューレ上のねじ穴で締められるか、または外される。
【００１０】
もう１つの実施形態では、前記第１取り外し可能な構造は前記ベース上のねじ穴、前記外側カニューレ上の貫通穴およびボルトで構成され、前記ボルトは前記ベース上のねじ穴で締められるか、または外されることにより前記外側カニューレ上の貫通穴に対して出入る。
【００１１】
もう１つの実施形態では、前記第１取り外し可能な構造は第１係合溝、ボタン、弾性部材とバックルホルダで構成され、前記第１係合溝は第１摺動溝と第１係止溝とが互いに接続されて構成され、前記ボタンはボタン軸線を有し、且つ前記ボタン軸線方向に沿って分布され互いに接続される取付段、係止段および取り外し段を含み、前記弾性部材はボタンのボタン軸線方向上に配置され前記ボタンが前記ボタン軸線方向に沿って最高位置と最低位置間に移動でき、自然状態下で前記ボタンが前記最高位置に位置するように前記ボタンの取付段が前記バックルホルダおよび前記弾性部材に接続され、かつ外力の作用下で前記弾性部材の弾性力を打ち勝って前記最低位置に移動でき、前記ボタンの係止段が前記第１係止溝に嵌め込まれ、前記第１係止溝によって前記ボタン軸線に垂直な方向への移動が制限され、前記ボタンの取り外し段が前記第１係合溝内に摺動自在可能である。
【００１２】
さらに、前記第１係合溝が前記外側カニューレ上に配置され、前記ボタン、弾性部材とバックルホルダが前記ベース上に配置される。
【００１３】
一実施形態では、前記第１係合溝が前記ベース上に配置され、前記ボタン、弾性部材とバックルホルダが前記外側カニューレ上に配置される。
【００１４】
さらに、バックルホルダはベースまたは外側カニューレ上の一定の高さを有する穴であり、ボタンの取付段は弾性部材を介してバックルホルダ内に取り付けられ前記穴に沿って最高位置と最低位置間に移動できる。
【００１５】
さらに、前記弾性部材の一端がボタンの取付段の底部に押されて、他端がバックルホルダの底部を閉鎖する円筒形部品上に押される。
【００１６】
もう１つの実施形態では、前記ボタンとバックルホルダとがバックルおよびボタンホールの構造によって接続され、その中に、バックルがボタン軸線方向に沿ってボタンホール内に移動できるように、ボタンホールの高さがバックルの高さよりも大きくなり、ボタンが最高位置と最低位置間に移動できる。
【００１７】
さらに、前記バックルがバックルホルダ上に配置され、前記ボタンホールがボタン上に配置され、または、前記バックルがボタン上に配置され、前記ボタンホールがバックルホルダ上に配置される。
【００１８】
さらに、前記弾性部材は円筒状ばね、波状ばねまたは他の弾性体である。
【００１９】
もう１つの実施形態では、前記第１摺動溝の一部が前記メスハンドルの軸線に平行し、他の部分が前記メスハンドルの軸線に垂直し、前記第１係止溝の最大溝幅が前記第１摺動溝の最大溝幅よりも大きい。
【００２０】
上記のいずれか１項の実施形態では、前記第２取り外し可能な構造は第２係合溝およびクリップ構造で構成される。前記第２係合溝は第２摺動溝と第２係止溝とが互いに接続されて構成され、前記クリップ構造は前記第２摺動溝内に摺動自在であり前記第２摺動溝から前記第２係止溝内に摺動でき、そして前記第２係止溝によって前記メスハンドルの軸線方向に沿う移動が制限される。
【００２１】
さらに、前記第２係合溝は前記内側カニューレ上に配置され、前記クリップ構造が前記クランプ駆動部品上に位置する。
【００２２】
もう１つの実施形態では、前記第２係合溝は前記クランプ駆動部品上に位置し、前記クリップ構造は前記内側カニューレ上に配置される。
【００２３】
一実施形態では、前記第２摺動溝は前記メスハンドルの軸線に平行する。
【００２４】
さらに、前記第２係止溝は前記メスハンドルの軸線に垂直する。
【００２５】
本願の再使用可能な超音波手術器具によれば、カニューレ部品とメスハンドル、ベースおよびクランプ駆動部品とが着脱可能に接続され、使用後に容易に取り外して洗浄され、重複に使用できるため、市場の主流の超音波手術器具が使用後容易に洗浄できず、重複に使用できない欠点を解決し、顕著に器具の使用コストを削減することができる。そして、参考文献３の再使用可能な超音波システムに比べて、本願の再使用可能な超音波手術器具では、再使用可能な部材が多くなり、使用コストをさらに削減でき、参考文献４に比べて、本願では取り外し便利性、全体構造の信頼性、プロセスの実現難しさなども向上する。要するに、本願は従来技術に比べて構造が簡単で、コストが低い利点を有する。
【図面の簡単な説明】
【００２６】
【図１】超音波メスシステムの模式図である。
【図２】本願の第１実施形態による再使用可能な超音波手術器具の模式図である。
【図３】図２における第２取り外し可能な構造の模式図である。
【図４】本願の第２実施形態による再使用可能な超音波手術器具の模式図である。
【図５】図４における第１取り外し可能な構造の模式図である。
【図６】本願の第３実施形態による再使用可能な超音波手術器具の模式図である。
【図７】図６における第１取り外し可能な構造および第２取り外し可能な構造の模式図である。
【図８】本願の第３実施形態による再使用可能な超音波手術器具の変形構造の模式図である。
【発明を実施するための形態】
【００２７】
以下、発明の実施例における技術手段をあきらか、詳細に説明するが、説明する実施例は本願の一部に過ぎず、すべての実施例ではない。本願の実施例に基づいて、創造的な労働をせずに当業者によって得られた他の実施例はすべて本願の保護範囲に含まれる。
【００２８】
説明の便宜、本願の「近位端」とは、器具が操作者によって把持される時操作者に近い一端を指し、「遠位端」とは器具が操作者によって把持されるとき操作者から離れた一端を指す。
【００２９】
図１を参照して、超音波メスシステムが示され、超音波周波数発生器１、トランスデューサー２と手術器具３を含む。その中に、超音波周波数発生器１は振動電気信号をトランスデューサー２に送信し、トランスデューサー２は振動電気信号を機械的振動に変換させ手術器具３に伝達し、手術器具３はトランスデューサー２の機械的振動により組織を切断または凝固させる。
【００３０】
図１、２を参照して、手術器具３は通常、メスハンドル５、メスヘッド（メスハンドル頭部の切断箇所）とともにクランプ構造を構成するクランプ４、メスハンドル５外部を囲むカニューレ６、グリップ８および把持機構７を含む。前記メスハンドル５はトランスデューサー２の機械的振動をメスヘッドに伝達し、メスヘッドはクランプ４と連携して組織をクランプし、クランプされた組織に対して超音波切断および止血を行い、カニューレ６はメスハンドル５を外部から隔離してメスハンドルを保護する作用を果たす一方、その遠位端にクランプ４とともにリンク機構を構成してクランプ４を開いたり閉じたり、グリップ８および把持機構７は医師の手で把持され、クランプ４を開いたり閉じたり、且つ超音波周波数発生器１の振動電気信号の出力のＯＮ・ＯＦＦを制御するためのスイッチが設けられる。
【００３１】
以下、図２、３を参照して、本願の第１実施形態による再使用可能な超音波手術器具を詳細に説明する。図２に示すように、該再使用可能な超音波手術器具３は、カニューレ部品３１、メスハンドル５、ベース３２およびクランプ駆動部品７１を含み、前記ベース３２がグリップ８の遠位端に配置され、前記カニューレ部品３１がベース３２およびクランプ駆動部品７１に着脱可能に接続される。前記カニューレ部品３１はその遠位端に位置するクランプ４、外側カニューレ６１と内側カニューレ６２を含む。前記クランプ４の近位端に２つの回転軸４１と４２が配置され、回転軸４１が外側カニューレ６１の遠位端に回転可能に接続され、回転軸４２が内側カニューレ６２の遠位端に回転可能に接続される。
【００３２】
内側カニューレ６２がメスハンドル５外部に取り付けられ、外側カニューレ６１が内側カニューレ６２外部に取り付けられ、且つ外側カニューレ６１と内側カニューレ６２がメスハンドル５と同軸に配置される。上記の設置によって、外側カニューレ６１が固定されると、回転軸４１も固定され、内側カニューレ６２をメスハンドル５の軸線に沿って往復に引っ張ると、回転軸４２を往復移動させ、クランプ４を回転軸４１を中心に回転させ、クランプ４とメスヘッド間の開閉を実現する。
カニューレ部品３１はメスハンドル５軸線の遠位端方向に向かってベース３２およびクランプ駆動部品７１から取り外され、メスハンドル５軸線の近位端方向に向かってベース３２およびクランプ駆動部品７１上に取り付けられ得る。これは、主に第１取り外し可能な構造３３および第２取り外し可能な構造３４によって実現され、その中に、第１取り外し可能な構造３３は外側カニューレ６１とベース３２間の接続構造であり、第２取り外し可能な構造３４は内側カニューレ６２とクランプ駆動部品７１間の接続構造である。
【００３３】
前記ベース３２はグリップ８に対してメスハンドル５軸線方向の移動が固定され、クランプ駆動部品７１が把持機構７に接続され把持機構７によって駆動されメスハンドル５軸線方向に沿って往復移動する。したがって、外側カニューレ６１が第１取り外し可能な構造３３によってベース３２上に接続され、内側カニューレ６２が第２取り外し可能な構造３４によってクランプ駆動部品７１上に接続されると、クランプ駆動部品７１は内側カニューレ６２を駆動してベース３２に対してメスハンドル５の軸線方向に沿って往復移動し、クランプ４を駆動してメスハンドル５の頭部を開閉する。
【００３４】
図２を参照して、本願の第１実施形態による再使用可能な超音波手術器具では、第１取り外し可能な構造３３はベース３２上の貫通穴３３３、外側カニューレ６１の近位端に配置されるねじ穴３３１およびボルト３３２で構成される。ボルト３３２は貫通穴３３３を貫通してねじ穴３３１で締められ、このようにして、外側カニューレ６１とベース３２とがメスハンドル５の軸線方向および等高線方向に固定的に接続される。当業者であれば、貫通穴３３３を外側カニューレ６１の近位端に配置し、ねじ穴３３１をベース３２上に配置することを容易に想到することができる。
【００３５】
図２、３を参照して、第２取り外し可能な構造３４は第２係合溝３４２とクリップ構造３４１で構成され、その中に、第２係合溝３４２が内側カニューレ６２の近位端に配置され、クリップ構造３４１がクランプ駆動部品７１の遠位端に配置される。
【００３６】
図３を参照して、この実施形態の第２取り外し可能な構造３４が詳細に示され、前記第２係合溝３４２は第２摺動溝３４２１および第２係止溝３４２２で構成され、第２摺動溝３４２１はメスハンドル５の最近の端部からメスハンドル５の軸線方向に平行し、第２係止溝３４２２はメスハンドル５の軸線方向に垂直し延伸して、第２摺動溝３４２１の遠位端に連通され、クランプ駆動部品７１の遠位端に配置される前記クリップ構造３４１はメスハンドル５の軸線方向に平行し、その幅は前記第２摺動溝３４２１の幅と同じか、やや小さくなり、且つメスハンドル５の軸線に垂直な方向上に内側方向へのフック状の突起が設けられ、前記クリップ構造３４１は第２摺動溝３４２１に摺り込んで第２係止溝３４２２に入り、そして前記クリップ構造３４１は第２係合溝３４２に対して設定された取付角度で回転した後第２係止溝３４２２上にクリップされ、前記クリップ構造３４１のメスハンドル５軸線方向に沿う移動が第２係止溝３４２２によって制限されるため、クリップ構造３４１は第２係合溝３４２を駆動してメスハンドル５の軸線方向に沿って移動できる。
【００３７】
カニューレ部品３１とベース３２およびクランプ駆動部品７１が接続されると、まず駆動部品７１上のクリップ構造３４１が内側カニューレ６２の近位端の第２摺動溝３４２１に擦り込んで第２係止溝３４２２に入り、次にカニューレ部品３１が設定された取付角度で回転した後クリップ構造３４１が第２係止溝３４２２上にクリップされ、内側カニューレ６２とクランプ駆動部品７１が接続され、その後ボルト３３２がベース３２上の貫通穴３３３を貫通して外側カニューレ６１上のねじ穴３３１で締められ、外側カニューレ６１とベース３２が接続される。カニューレ部品３１をベース３２およびクランプ駆動部品７１から取り外すと、まず第１取り外し可能な構造３３のボルト３３２をねじ穴３３１から外し貫通穴３３３から外し、次にカニューレ部品３１が設定された取付角度で回転すると、クリップ構造３４１が第２係止溝３４２２から第２摺動溝３４２１まで回転し、最後にカニューレ部品３１をメスハンドル５軸線の遠位端方向に向かって移動させてカニューレ部品３１をベース３２およびクランプ駆動部品７１から取り外すことができる。
【００３８】
以下、図４、５を参照して、本願の第２実施形態による再使用可能な超音波手術器具を詳細に説明する。この実施形態は第１実施形態と大体の特徴が同じであるので、ここに説明を省略し、且つ図４中の第２取り外し可能な構造３４は図２における実施例のものと大体同じであり、図４と図２の異なる点は、第１取り外し可能な構造３３の構造のみである。
【００３９】
図４を参照して、外側カニューレ６１はカニューレ本体６１１とカニューレ本体６１１の近位端に位置する係止ホルダー６１２で構成され、その中に、カニューレ本体６１１は金属材料で形成され、係止ホルダー６１２は金属または非金属材料で形成され、両者は溶接、接着または同時鋳造によって組み合わせることができる。第１取り外し可能な構造３３は第１係合溝３３４、ボタン３３５、弾性部材３３６とバックルホルダ３３７で構成される。前記第１係合溝３３４は係止ホルダー６１２上に配置され、ボタン３３５、弾性部材３３６とバックルホルダ３３７はベース３２上に配置される。
【００４０】
図５では詳細に第１係合溝３３４およびボタン３３５の詳細構造が示され、その内に第１係合溝３３４は全体Ｌ字形の第１摺動溝および第１摺動溝に接続される第１係止溝３３４３で構成され、前記第１摺動溝はメスハンドル５の軸線に平行な第１部分３３４１とメスハンドル５の軸線に垂直な第２部分３３４２で構成され、その内に第１部分３３４１の一端はベース３２の近位端側から始まり、他端が第２部分３３４２の１つの端部に接続され、第２部分３３４２の他端が第１係止溝３３４３に接続され、且つ第１係止溝３３４３の最大溝幅が第１摺動溝の最大溝幅よりも大きい。
【００４１】
前記ボタン３３５はボタン軸線３３５１を有し、且つボタン３３５がボタン軸線３３５１方向に沿って最高位置と最低位置間に移動できるように、前記弾性部材３３６がボタン３３５の下方に配置される。ボタン３３５はボタン軸線３３５１方向に沿って分布される取付段３３５４、係止段３３５３および取り外し段３３５２が互いに接続されて構成され、取付段３３５４のボタン軸線３３５１に垂直な方向上の断面の最大幅が係止段３３５３のボタン軸線３３５１に垂直な方向上の断面の最大幅よりも大きく、係止段３３５３のボタン軸線３３５１に垂直な方向上の断面の最大幅が取り外し段３３５２のボタン軸線３３５１に垂直な方向上の断面の最大幅よりも大きい。
【００４２】
ボタン３３５の最下端に位置する取付段３３５４はベース３２上のバックルホルダ３３７および弾性部材３３６に接続される。取付段３３５４の上方に位置する係止段３３５３は係止ホルダー６１２上の第１係止溝３３４３に嵌め込まれ、かつ第１係止溝３３４３によってボタン軸線３３５１に垂直な方向上の移動が制限される。係止段３３５３の上方に位置する取り外し段３３５２はボタン軸線３３５１に垂直な方向上の断面の最大幅が第１係合溝３３４の最小幅よりも小さいので、第１係合溝３３４内に摺動自在可能である。バックルホルダ３３７はベース３２上の構造であり、ボタン３３５の取付段３３５４および弾性部材３３６はバックルホルダ３３７内に取り付けられる。
【００４３】
弾性部材３３６は円筒状ばね、波状ばねまたは他の弾性体であり得、その一端がボタン３３５の取付段３３５４の底部に押され、他端がバックルホルダ３３７の底部の穴を閉鎖する円筒形部品３５上に押される。弾性部材３３６の弾性力により、自然状態下でボタン３３５が最高位置に位置し、このときボタン３３５の係止段３３５３が第１係止溝３３４３中に嵌め込まれると、外側カニューレ６１がメスハンドル５の軸線および等高線方向に沿って固定される。
【００４４】
ボタン３３５が外力で押され、ボタン３３５が弾性部材３３６の弾性力を打ち勝って最低位置に移動すると、ボタン３３５の取り外し段３３５２が第１係合溝３３４中に位置し、ボタン３３５が第１係合溝３３４中に移動可能になり第１係止溝３３４３、第１摺動溝のメスハンドル５の軸線に垂直な第２部分３３４２および第１摺動溝のメスハンドル５の軸線に平行な第１部分３３４１から順次外し、外側カニューレ６１とベース３２が分離する。
【００４５】
以下、図６、７を参照して、本願の第３実施形態による再使用可能な超音波手術器具を詳細に説明する。この実施形態は第２実施形態と大体特徴が同じであるので、ここに説明を省略し、この実施形態と図４、５に示す第２実施形態との異なる点は、第１取り外し可能な構造３３の設置対象のみである。
【００４６】
図６、７を参照して、外側カニューレ６１はカニューレ本体６１１とカニューレ本体６１１の近位端に位置する係止ホルダー６１２で構成され、その中に、カニューレ本体６１１は金属材料で形成され、係止ホルダー６１２は金属または非金属材料で形成され、両者は溶接、接着または同時鋳造によって組み合わせることができる。
【００４７】
第１取り外し可能な構造３３は第１係合溝３３４、ボタン３３５、弾性部材３３６とバックルホルダ３３７で構成される。前記第１係合溝３３４はベース３２上に配置され、ボタン３３５、弾性部材３３６とバックルホルダ３３７は係止ホルダー６１２上に配置される。その他の構造および取付取り外し方式は図４、５中実施例と同じであるので、ここに説明を省略する。
【００４８】
図８は第３実施例の第１取り外し可能な構造３３の変形構造の模式図である。この構造では、第１取り外し可能な構造３３は第１係合溝３３４、ボタン３３５、弾性部材３３６とバックルホルダ３３７で構成される。その中に、ボタン３３５とバックルホルダ３３７とがバックル構造によって接続され、バックル３３８１がバックルホルダ３３７上に配置され、ボタンホール３３８２がボタン３３５上に配置される。
【００４９】
弾性部材３３６をバックルホルダ３３７内に装着してから、ボタン３３５をバックルホルダ３３７上に嵌設させ、バックル３３８１をボタンホール３３８２に係合させると、ボタン３３５とバックルホルダ３３７間の接続が完了する。バックル３３８１がボタン軸線方向に沿ってボタンホール３３８２内に移動できるように、ボタンホール３３８２の高さはバックル３３８１の高さよりも大きく、ボタン３３５が最高位置と最低位置間に移動できる。
【００５０】
本願の再使用可能な超音波手術器具によれば、市場の主流の超音波手術器具が使用後容易に洗浄できず、重複に使用できない欠点を解決し、顕著に器具の使用コストを削減することができる。そして、従来技術の再使用可能な超音波システムに比べて、本願の再使用可能な超音波手術器具では、再使用可能な部材が多くなり、使用コストをさらに削減でき、且取り外し便利性、全体構造の信頼性、プロセスの実現難しさなども向上する。要するに、本願は従来技術に比べて構造が簡単で、コストが低い利点を有する。
【００５１】
なお、図中の実施形態は本願の代表的な実施例に過ぎず、当業者は、本願の保護範囲が図面の実施形態によって定義された範囲のみに限定されなく、図面の実施形態の組み合わせ、変形、および変更はすべて本願の保護範囲内に含まれることを容易に理解できることに留意されたい。
【００５２】
上記に開示されたものは本願のいくつかの好適な実施例に過ぎず、本願の範囲はこれらに限定されるものではなく、本願の精神を逸脱しない限りなされたすべての等価変更も本願の範囲に含まれる。
【図１】
0006892644.tif 000002
【図２】
0006892644.tif 000003
【図３】
0006892644.tif 000004
【図４】
0006892644.tif 000005
【図５】
0006892644.tif 000006
【図６】
0006892644.tif 000007
【図７】
0006892644.tif 000008
【図８】
0006892644.tif 000009